(57)【要約】【課題】ディスクなど記録媒体に記録部を高温に加熱して記録可能とする記録装置の、内部発熱源が発する熱による、データの誤記き込みを防ぐ。【解決手段】カメラ本体筐体内と、回転可能に軸支持され、画像表示面方向を変化することができるカメラ本体筐体に対して、分離して設けられた画像表示部筐体内に、ディスク駆動メカ機構と、ディスク駆動メカ機構や撮像素子などの制御回路を実装した回路基板を分離して配置した。【選択図】        図１
2004246947.tif 000002
【特許請求の範囲】
【請求項１】
画像信号等を処理する信号処理部と、記録媒体を加熱してデータを記録する記録部と、画像信号を表示する表示部と、第一の筐体と第二の筐体を回動可能に接続する接続部からなり、前記信号処理部と前記記録部は異なる筐体に配置することを特徴とする記録再生装置。
【請求項２】
第一の筐体には表示部と信号処理部を配置し、第二の筐体には記録部を配置することを特徴とする請求項１の記録再生装置。
【請求項３】
第一の筐体には表示部と記録部を配置し、第二の筐体には信号処理部を配置することを特徴とする請求項１の記録再生装置。
【請求項４】
被写体を撮像するカメラ部と、前記カメラ部から出力された画像信号を処理する信号処理部と、記録媒体を加熱して画像信号を記録する記録部と、画像信号を表示する表示部と、第一の筐体と第二の筐体を回動可能に接続する接続部からなり、前記信号処理部と前記記録部は異なる筐体に配置することを特徴とする撮像装置。
【請求項５】
第一の筐体には表示部と信号処理部を配置し、第二の筐体にはカメラ部と記録部を配置することを特徴とする請求項４の撮像装置。
【請求項６】
第一の筐体には表示部と記録部を配置し、第二の筐体にはカメラ部と信号処理部を配置することを特徴とする請求項４の撮像装置。
【発明の詳細な説明】
【０００１】
【発明の属する技術分野】
本発明は、レーザー光照射などにより、データ書き込み部を高温に加熱してデータ記録を可能とする、いわゆる熱効果を用いて記録媒体にデータ記録行う記録装置の内部発熱の熱影響によるデータ書込／検出エラーの防止に関するものであり、特に、記録媒体として、ディスクを用いた画像撮影装置の、内部電気回路の発熱によるディスク駆動機構部内の、熱上昇を防ぐ構成に関するものである。
【０００２】
【従来の技術】
従来、光磁気ディスク、光ディスクなどの撮影媒体に、動画、静止画を撮影するための撮影装置は、撮影媒体駆動機構、撮像素子、撮影レンズなどから構成され、それらを制御する制御回路により、電気的に制御されている。例えば、光磁気ディスクに動画を撮影するための撮影装置（以後、カメラと称する）の光磁気ディスク駆動メカ機構内部は、光磁気ディスクの表面に付着したごみが、画像データの誤検知となるため、略防塵構造としており、熱がこもりやすく、更に、光磁気ディスク駆動メカ機構近傍には、発熱源となる制御回路基板が配置されているため、高温となりやすい。この時、レーザー光などでディスク書き込み部を高温に加熱して、データを書き込みを可能とする熱効果を利用した光磁気ディスクでは、光磁気ディスク自体が高温となると、ディスク上にデータを書き込む際に、レーザー光による書き込み条件が、微妙に変化するなどの影響で、正常に画像録画されないなどの不具合を生じさせる。そのため、放熱板の追加や、内部空間に余裕を持たせて、冷却ファンによって、強制的に内部空気の流れを作って、温度の上昇を抑えるなどの対策を必要としていた。
【０００３】
【発明が解決しようとする課題】
しかしながら、従来の構成では、放熱板の追加によるコストアップとなると同時に、防塵構造された光磁気ディスク駆動メカ機構部を確実に放熱させるためには、放熱板を有効に配置するための空間を作らなければならないため、カメラ本体が大型化してしまうといった欠点を持っていた。また、内部空間に余裕を持たせて、冷却ファンによって、強制的に内部空気の流れを作って、温度の上昇を抑えるためには、強制的に内部空気の流れを作る空間の確保や、冷却ファンの組み込みによるカメラの大型化、コストのアップが必要だった。
【０００４】
本発明は、カメラの小型化を実現した上で、電気制御回路からの発熱による、ディスク駆動機構への熱伝導を、少なくすることを目的とする。
【０００５】
【課題を解決するための手段】
上述の目的を達成するために、本発明では、液晶などを用いた画像表示手段であり、カメラ本体筐体に対して、分離されて画像表示位置を変更させることができる画像表示部筐体内に、撮影媒体であるディスク駆動メカ機構、あるいは、ディスク駆動メカ機構や撮像素子などを電気的に制御する制御回路を実装した回路基板のどちらか一方を配置する。他方を、カメラ本体筐体に配置する。これにより、撮影時（特に連続撮影時）に、ディスク駆動メカ機構や、撮像素子などの制御回路を実装した回路基板からの放熱を、ディスク駆動メカ機構部に直接、伝えないため、ディスク駆動メカ機構の温度上昇を防ぐことができる。
【０００６】
【発明の実施の形態】
図１から図５は本発明の第１の実施例を示す図で、図１は、本発明の、カメラのレンズ光軸に垂直方向の概略断面図。図２は、表示部をカメラ本体に対して、軸回転させた状態の水平断面図、図３は、本発明のカメラの全体をあらわす斜視図である。図４は、本発明のカメラの表示部を回転させた状態の全体をあらわす斜視図である。図５は、本発明の概略の構成を示すブロック図である。図中、１は、光磁気ディスク駆動メカ機構であり、機構内部は、光磁気ディスク９の表面へのごみの付着による画像書き込み／読み出しエラーを防止するため、略密封構造とした防塵構造となっている。そして、光磁気ディスク９の装填時は、駆動用のモータ１１が、駆動源として連結される。また、光磁気ディスク９を挟んで、画像データ書き込み／読み出し用の光照射部１３と磁気ヘッド部１４を持った光磁気ヘッド支持枠１２が、光磁気ディスク９の外周と中心を結ぶ線上を走査するようガイド支持されている。また、画像データ書き込み／読み出し制御部１５、光磁気ディスク回転駆動制御部１６も含まれている。２は、撮像素子、光磁気ディスク駆動メカ機構などを制御する制御回路を実装した回路基板である。回路基板２は、カメラ作動時に、熱発生源となる記録信号処理回路２１、再生信号処理回路２２などが主な構成要素である。３は、被写体を撮影するためのレンズ部、レンズ部３は、被写体に相対する撮影レンズ３１と、撮影レンズ３１の結像面に配置され、結像された画像を電気的に変換するＣＣＤ３２、ＣＣＤ３２の電気信号を処理する映像信号処理回路３３からなる。また、レンズ部３には、接眼用ビューファインダー３４も含まれている。４は、レンズ部３、及び、光磁気ディスク駆動メカ機構１を内蔵した本体筐体、本体筐体４には、撮影被写体に対して、背面側に光磁気ディスク９を装填するための、スリット穴４１が設けられており、光磁気ディスク９が装填されていない状態では、保護カバー４２が、スリット４１を塞ぐように、ばね付勢されている。光磁気ディスク９を本体筐体４の背面のスリット４１から装填すると、保護カバー４２は本体筐体４の内部へ押されて逃げて、光磁気ディスク駆動メカ機構１に、装填される。５は固定ホルダーで、本体筐体４の内部で、レンズ部３、光磁気ディスク駆動メカ機構１を、支持固定する、６は、本体筐体４とは、分離した表示筐体で、内部に、画像表示を行うモニターＬＣＤ６１、バックライト６２、ＬＣＤ駆動回路基板６３と、回路基板２が配置されている。本体筐体４の、表示筐体６と接する側面には、光磁気ディスク９に撮影された画像の再生操作を行う操作ボタン４３が配置されている。７は、回路基板２の発熱部から、表示筐体１に熱を逃がす導熱部材、８は撮影装置を駆動させるための電源となるバッテリーである。
【０００７】
上記のような構成において、カメラ本体筐体４に光磁気ディスク９を背面から装入する。挿入された光磁気ディスク９は、光磁気ディスク装填機構（不図示）によって、光磁気ディスク駆動メカ機構１内で、駆動モータ１１に連結される。そして、不図示の電源スイッチのオン操作、あるいは、撮影開始スイッチのオン操作によって、撮影レンズ３１から入射した被写体が、ＣＣＤ３２上に結像され、電気信号へ変換される。変換された信号は、映像信号処理回路３３によって、接眼用ビューファインダー３４、あるいは、モニターＬＣＤ６１のいずれか一方に画像として表示される。そのとき、どちらの表示手段に画像表示するかは、表示筐体６の開閉状態を検出して切り替えられる。撮影開始スイッチのオン操作の時は、同時に、記録信号処理回路２１に送られ、光磁気ディスク駆動制御部１６と、駆動モータ１１によって、光磁気ディスク９が回転駆動され、画像データ書き込み／読み出し制御部１５によって、光磁気ヘッド支持枠１２が、光磁気ディスク９上を、非接触で走査し、光照射によって光磁気ディスク９上を高温に加熱し、熱効果によって画像データを書き込む。このような撮影動作を連続して行うと、回路基板２上の素子が発熱し周囲の温度を上昇させる。このとき、光磁気ディスク駆動メカ機構１は、本体筐体４の内部に固定されているため、表示筐体６内に収められている回路基板２から放熱された熱は、光磁気ディスク駆動メカ機構１の周辺温度を大きく上昇させるような影響は与えない。そして、発熱した熱の一部は、導熱部材７を介して、表示筐体６の内壁に伝えられ、表示筐体６の広い外観表面から、外部に放熱される。回路基板２は、広い放熱面積をもつ表示筐体６の内面に対峙して、取り付けられているため、導熱部材７の配置や、大きさ、数量も、自由度が高く、配置しやすくなっている。
【０００８】
図６から図７は本発明の第２の実施例を示す図で、図６は、本発明の、カメラのレンズ光軸に垂直方向の概略断面図。図７は、表示部をカメラ本体に対して、軸回転させた状態の水平断面図である。構成部品及び、ユニットのうち、第１の実施例と同一部品である光磁気ディスク駆動メカ機構１の構成部、レンズ部３、バッテリー８、光磁気ディスク９、及び、図５の概略の構成を示すブロック図内の構成要素は同一符号として、個々の説明は、第１の実施例に準ずる。図中、１００は、略密封構造とした、防塵構造の光磁気ディスク駆動メカ機構。２００は、撮像素子などを制御する制御回路を実装した回路基板である。４００は、レンズ部３、及び、回路基板２００を内蔵した本体筐体、５００は固定ホルダーで、本体筐体４００の内部で、レンズ部３、回路基板２００を、支持固定する、６００は、本体筐体４００とは、分離した表示筐体で、内部に、映像表示を行うモニターＬＣＤ６０１、バックライト６０２、ＬＣＤ駆動回路基板６０３と、光磁気ディスク駆動メカ機構１００が配置されている。この表示筐体６００には、モニターＬＣＤ６０１の不使用時である表示筐体６００の収納時、撮影被写体に対して、背面側に光磁気ディスク９を装填するための、スリット穴６０４が設けられており、光磁気ディスク９が装填されていない状態では、保護カバー６０５が、スリット６０４を塞ぐように、ばね付勢されており、光磁気ディスク９を表示筐体６００の背面のスリット６０４から装填すると、保護カバー６０５は表示筐体６００の内部へ押されて逃げて、光磁気ディスク駆動メカ機構１００に装填される。本体筐体４００の表示筐体６００と接する側面には、光磁気ディスク９に撮影された画像の再生操作を行う、操作ボタン４０１が配置されている。７００は、回路基板２００の発熱部から、固定ホルダー５００、あるいは、本体筐体１００に熱を逃がす導熱部材である。
【０００９】
上記のような構成において、カメラの表示筐体６００に光磁気ディスク９を背面から装入する。挿入された光磁気ディスク９は、光磁気ディスク装填機構（不図示）によって、光磁気ディスク駆動メカ機構１００内で、駆動モータ１１に連結される。そして、不図示の電源スイッチのオン操作、あるいは、撮影開始スイッチのオン操作によって、被写体が、撮影レンズ３１から入射し、ＣＣＤ３２上に結像され、電気信号へ変換される。変換された信号は、映像信号処理回路３３によって、接眼用ビューファインダー３４、あるいは、モニターＬＣＤ６０１のいずれか一方に画像として表示される。そのとき、どちらの表示手段に画像表示するかは、表示筐体の開閉状態を検出して切り替えられる。撮影開始スイッチのオン操作の時は、同時に、記録信号処理回路２１に送られ、光磁気ディスク回転駆動制御部１６と、駆動モータ１１によって、光磁気ディスク９が回転駆動され、画像データ書き込み／読み出し制御部１５によって、光磁気ヘッド支持枠１２が、光磁気ディスク９上を、非接触で走査し、光照射によって光磁気ディスク９上を高温に加熱し、熱効果によって画像データを書き込む。このような撮影動作を連続して行うと、回路基板２００上の素子が発熱し周囲の温度を上昇させる。。このとき、光磁気ディスク駆動メカ機構１００は、表示筐体６００の内部に固定されているため、本体筐体４００内に収められている回路基板２００から放熱された熱は、光磁気ディスク駆動メカ機構１００の周辺温度を大きく上昇させるような影響は与えない。そして、発熱した熱の一部は、導熱部材７００を介して、固定ホルダー５００や、本体筐体４００の内壁に伝えられ、固定ホルダー５００の表面や、本体筐体４００の広い外観表面から、放熱される。また、回路基板２００は、広い放熱面積をもつ固定ホルダー５００と本体筐体４００に、両面を対峙して、挟まれているため、導熱部材７００の配置や、大きさ、数量も、自由度が高く、配置しやすくなっている。
【００１０】
以上、本実施例では、光磁気ディスクを記録媒体に用い、記録するデータとして、画像撮影を行うカメラについて、説明しているが、記録媒体は、光磁気ディスクに限定されるものではなく、記録媒体上を高温にして、データを記録する熱効果を利用した記録媒体に活用できるものである。記録するデータも、画像データに限定されるものではなく、例えば、キーボードによる入力手段と、入力データの表示手段の組み合わせでも、実施可能である。
【００１１】
【発明の効果】
以上説明したように、本発明によれば、温度効果を用いてデータを記録する光磁気ディスク等の記録媒体に、データ記録／データ表示を行う記録装置で、例えば、動画、静止画を撮影するためのカメラでは、カメラ本体筐体に対して、分離して、回転可能に軸支持され、回転動作させることにより、画像表示面方向を変更することができる表示部筐体内に、ディスク駆動メカ機構、あるいは、ディスク駆動メカ機構、撮像素子などの制御する制御回路を実装した回路基板のどちらか一方を配置し、他方を、カメラ本体筐体に配置して、ディスク駆動メカ機構と回路基板を別筐体に分離したことにより、撮影時（特に連続撮影時）に、回路基板からの発熱を、ディスク駆動メカ機構に直接伝えないため、ディスク駆動メカ機構の温度上昇を防ぐことができ、画像データをディスクに書き込む際のディスク周囲の熱による書き込みエラーをなくすことができる。
【００１２】
また、発熱した熱の一部は、導熱部材を介して、広い表面から放熱させるので効率よく放熱できるが、回路基板が、広い放熱面積をもつ表示筐体、あるいは、固定ホルダーと本体筐体に対面しているため、導熱部材の配置も、自由度が高く、効率よく配置できるため、放熱効果も高くなるといった効果も得られる。また、放熱効果がよいため、導熱部材の大きさ、数量も少なく済むため、コスト面でも、有利である。
【００１３】
この時、配置される撮影媒体として、光磁気ディスクが設定されているが、ディスク状の記録媒体であれば、それ自身が、薄型であるため、光磁気ディスク駆動メカ機構自体も薄型化が実現され、カメラ本体筐体から分離して設けられた表示部筐体内に光磁気ディスク駆動メカ機構を配置しても、表示筐体を、大型化、厚幅化することがない。
【図面の簡単な説明】
【図１】本案の第１の実施例のカメラのレンズ光軸に垂直方向の概略断面図。
【図２】本案の第１の実施例の表示筐体をカメラ本体に対して、軸回転させた状態の水平断面図。
【図３】本案の第１の実施例のカメラの全体をあらわす斜視図。
【図４】本案の第１の実施例のカメラの表示筐体を回転させた状態の全体をあらわす斜視図。
【図５】本案の第１の実施例を示す概略の構成を示すブロック図。
【図６】本案の第２の実施例のカメラのレンズ光軸に垂直方向の概略断面図。
【図７】本案の第２の実施例の表示筐体をカメラ本体に対して、軸回転させた状態の水平断面図。
【符号の説明】
１，１００  光磁気ディスク駆動メカ機構
２，２００  回路基板
３  レンズ部
４，４００  本体筐体
５，５００  固定ホルダー
６，６００  表示筐体
７，７００  導熱部材
８  バッテリー
９  光磁気ディスク
【図１】
2004246947.tif 000003
【図２】
2004246947.tif 000004
【図３】
2004246947.tif 000005
【図４】
2004246947.tif 000006
【図５】
2004246947.tif 000007
【図６】
2004246947.tif 000008
【図７】
2004246947.tif 000009